(57)【要約】【課題】漏水の円滑な排水が行えながら、漏水受シートが天井面等から離脱しても、床を濡らす二次被害を小さくする。【解決手段】漏水受シート１に受け止めた漏水を排水ホース３により排水する漏水排水具において、漏水受シート１に、該漏水受シート１の漏水受面１０に連続する内面２０をもち、広口の入口部２１から底部２２に向けて口を狭めた受継シート２を設け、受継シート２の底部２２に排水ホース３を接続した。集めた漏水を受継シート２から排水ホース３に円滑に導き、漏水受シート１が離脱しても、受継シート２内に漏水を保持できるようにした。【選択図】図４
2020158967.tif 000002
【特許請求の範囲】
【請求項１】
漏水受シートに受け止めた漏水を排水ホースにより排水する漏水排水具において、
前記漏水受シートに、該漏水受シートの漏水受面に連続する内面をもち、広口の入口部から底部に向けて口を狭めた受継シートを設け、
前記受継シートの底部に、前記排水ホースを接続している
ことを特徴とする漏水排水具。
【請求項２】
前記受継シートの入口部を、前記漏水受面の開口に一体化していると共に、前記受継シートの底部に前記排水ホースを着脱自在に取り付けていることを特徴とする請求項１に記載の漏水排水具。
【請求項３】
前記受継シートの底部に設ける開口に、前記排水ホースの接続具の端部を突入させ、前記接続具の端部に取付ける固定具と前記接続具との間に、前記受継シートの底部を挟み付けていると共に、前記受継シートの底部近傍部分を前記固定具の外周にバンド部材により束ねていることを特徴とする請求項１又は２に記載の漏水排水具。
【発明の詳細な説明】
【技術分野】
【０００１】
本発明は、家屋・ビル・各種施設等の建物、駅構内／外の建造物、地下街等で生じる、豪雨等に伴う漏水を受け止めて排水する漏水排水具に関する。
【背景技術】
【０００２】
従来、この種の漏水排水具は、特許文献１等で知られているように、漏水箇所となる建物等の天井面等に漏水受シートの４辺をテープ等により貼り付け、受け止めた漏水を重力で撓む漏水受シートの底部に接続する排水ホースにより排水するようにしている。
【先行技術文献】
【特許文献】
【０００３】
【特許文献１】特開２０１５−７４９３３号公報
【発明の概要】
【発明が解決しようとする課題】
【０００４】
しかし、従来の漏水排水具は、漏水受シートの貼り付けが十分でない場合や、排水ホースによる排水能力を超えて漏水が貯まる場合、或は、排水ホースに埃等が詰まった場合等、漏水の重みに耐えきれずに、漏水受シートの全部又は一部が天井面等から剥がれて離脱し、貯めた漏水をシートの端から床に広範囲に撒き散らす恐れが高い。
【０００５】
本発明は、漏水受シートで受け止めた漏水を排水ホースにより円滑に排水できながら、漏水受シートの全部又は一部が天井面等から離脱しても、床を濡らす二次被害を小さくできる漏水排水具を提供することを課題とする。
【課題を解決するための手段】
【０００６】
上記課題を解決するため、本発明に係る漏水排水具は、次の［構成Ａ］をもつ。括弧内に実施形態の符号を付記する。
【０００７】
［構成Ａ］；
漏水受シート（１）に受け止めた漏水を排水ホース（３）により排水する漏水排水具において、
前記漏水受シート（１）に、該漏水受シート（１）の漏水受面（１０）に連続する内面（２０）をもち、広口の入口部（２１）から底部（２２）に向けて口を狭めた受継シート（２）を設け、
前記受継シート（２）の底部（２２）に前記排水ホース（３）を接続している。
【０００８】
上記［構成Ａ］に加えて、次の［構成Ｂ］を備えるのが好ましい。
［構成Ｂ］；
前記受継シート（２）の入口部（２１）を、前記漏水受面（１０）の開口（１０１）に一体化していると共に、前記受継シート（２）の底部（２２）に前記排水ホース（３）を着脱自在に取り付けている。
【０００９】
上記［構成Ａ］又は［構成Ｂ］に加えて、次の［構成Ｃ］を備えるのが好ましい。
［構成Ｃ］；
前記受継シート（２）の底部（２２）に設ける開口（２３）に、前記排水ホース（３）の接続具（４）の端部（４５）を突入させ、前記接続具（４）の端部（４５）に取付ける固定具（５）と前記接続具（４）との間に、前記受継シート（２）の底部（２２）を挟み付けていると共に、前記受継シート（２）の底部近傍部分（２５）を前記固定具（５）の外周にバンド部材（８）により束ねている。
【発明の効果】
【００１０】
本発明の［構成Ａ］によれば、漏水受シートに集めた漏水を受継シートから排水ホースに円滑に導くことができ、漏水の排水を良好にできる。それでいて、漏水受シートが天井面等から全部又は一部が離脱しても、受継シート内に漏水を保持できるため、漏水受シートの端から外に漏れる漏水量を少なくでき、床を濡らす二次被害を小さくできる。
【００１１】
本発明の［構成Ｂ］を加えると、漏水受シートと受継シートとを一体化しているため、漏水受シートで受け止めた漏水を受継シートに確実に受け渡すことができると共に、この一体化シートが破損した場合、着脱自在な排水ホースを取り外して新たな一体化シートに取り付けることができる。よって、一体化シート部分の交換のみで再利用が可能となり、経済性が図れる。
【００１２】
本発明の［構成Ｃ］を加えると、固定具と接続具との間に受継シートの底部を挟み付けるため、簡単な構造により漏れを低減できると共に、バンド部材により受継シートの底部近傍部分を固定具の外周に束ねることにより、漏水の排水口を受継シートの実質的な底部となる部分に開口でき、排水を良好に行える。
【図面の簡単な説明】
【００１３】
【図１】本発明の一実施形態に係る漏水排水具を天井に設置した側面図。
【図２】同漏水排水具を天井に設置した上（天井面側）から見た平面図。
【図３】同漏水排水具の受継シートを漏水受シートに一体化する製造工程図。
【図４】同漏水排水具の排水ホースを接続する第１組立工程を示す斜視図。
【図５】同漏水排水具の排水ホースを接続する第２組立工程を示す斜視図。
【図６】同漏水排水具の排水ホースを接続する第３組立工程を示す斜視図。
【図７】同漏水排水具の排水ホースを接続する第４組立工程を示す斜視図。
【発明を実施するための形態】
【００１４】
図１，２に示すように、本発明の一実施形態に係る漏水排水具１００は、建物、建造物、地下街等における、豪雨等による漏水箇所に対応した、天井面等の設置対象箇所Ａに、緊急に、或は、予備的に設置する防災グッズの一つである。
【００１５】
漏水箇所から漏れる水を漏水受シート１の漏水受面１０に受け止め、受け止めた漏水を、四角錐形状のジョウゴ型とした受継シート２を介して、排水ホース３により排水溝Ｗ或はバケツやタンク等に排水する。
【００１６】
漏水受シート１は、ＰＶＣ（ポリ塩化ビニル）等の柔軟性のある透明樹脂シート等から成り、シート外辺の４辺１１，１２，１３，１４を養生テープ等の片面又は両面に粘着層をもつテープＴ等により設置対象箇所Ａに貼り付けて設置する。
【００１７】
漏水受シート１の大きさは、例えば９１５×９１５ｍｍの矩形にしている。寸法は数十ｃｍ〜数ｍの範囲で変更可能である。広げた形も、正方形等の正多角形に限らず、各外辺の長さが異なるものや、円や楕円を含む曲線を有するものでもよい。
【００１８】
漏水受シート１の厚みは、例えば０．２ｍｍと比較的厚めにしており、０．１ｍｍ程度の薄い場合に比べ、テープＴで貼り付ける際あるいは剥がす際に破れにくく、漏水受シート１を複数回について再利用可能にしている。もっとも、想定する再利用回数等に応じて、厚みは増減変更可能であり、０．１ｍｍにしてもよいし、０．２ｍｍを超えるものにしてもよい。
【００１９】
漏水受シート１の４辺１１，１２，１３，１４の各角の近傍部分及び各辺の中間部分には、表裏に厚み１ｍｍ程度の円形ＰＶＣ製の補強シート１５，１６を介在させて、例えば、直径６．５ｍｍの穴１７をもち、ピン１８ａ及び受座１８ｂをカシメ部１８ｃにてカシメ止めする真鍮製等のハトメ１８を取り付けている。
【００２０】
ハトメ１８の穴１７にロープや針金、フック等を通すことにより、テープ貼りに代えて、或は、テープ貼りと併用して、ロープや針金、フック等での設置も可能にしている。従って、設置対象箇所Ａは平坦な天井面等に限らず、凹凸のある天井面、柱や梁を含む天井面、骨組みのみによる天井部、屋根や雨除けの下に特別な天井のない空間部分等にも設置可能である。
【００２１】
図３に示すように、受継シート２は、漏水受シート１と同じ厚みの０．２ｍｍとしたＰＶＣ製の透明樹脂シートから成る。製造工程では、例えば、３００×３００ｍｍの矩形のシート材料２Ｗを用意し、各辺の端から例えば４０ｍｍの点から内側に例えば１３０ｍｍの一対のカット辺２ｄ，２ｅを切り込んだ４つの楔形のカット部分２Ｃを取り除く。
【００２２】
底部２２となる中央部分には、排水ホース３の接続用の開口２３を開け、排水ホース３を引出す側の一面に、ＰＷ（ポリウレタン）製等の白色円形シート等から成るシール兼補強シート２４を接着又は高周波溶着等による溶着により一体化する。
【００２３】
次に、対向するカット辺２ｄ，２ｅを例えば５ｍｍ程度の耳２Ａができるように互いに突き合わせ、突き合わせた耳２Ａ及びカット辺２ｄ，２ｅの交点を若干オーバーハングする部分も含め、高周波溶着等により溶着する。４箇所の溶着により、広口の入口部２１から底部２２に向けて口が狭まる四角錐形状あるいはピラミッド形状のジョウゴ型となる。
【００２４】
次に、広口の入口部２１の４辺２０１，２０２，２０３，２０４を、漏水受シート１の中央に開けた矩形の開口１０１に、例えば５ｍｍ程度の重ね代２Ｂにより互いに重ね合わせ、重ね代２Ｂを全周について高周波溶着等により溶着する。
【００２５】
こうして、漏水受シート１にジョウゴ型の受継シート２を一体化した一体化シート１０２が完成し、漏水受シート１の漏水受面１０からこれに連続する受継シート２の内面２０に向けて、途中にシートのはみ出しや出っ張り等のない滑らかな流水路を形成できる。
【００２６】
従って、漏水受シート１に受け止めた漏水を受継シート２から排水ホース３に円滑に導くことができ、漏水の排水を良好にできる。それでいて、漏水受シート１と受継シート２の一体化シート１０２が設置対象箇所Ａからその全部又は一部が離脱しても、漏水受シート１の内方において受継シート２の内部に漏水を保持することができるため、漏水受シート１の端から外に漏れる漏水量を少なくでき、床を濡らす二次被害を小さくできる。
【００２７】
なお、受継シート２は四角錐形状とする他、三角錐形状や５角形以上の多角錐形状にしてもよいし、円錐形状にしてもよい。また、底部２２がややフラットになることから、四角錐形状ではなく四角錐台形状と称し、角錐形状ではなく角錐台形状と称し、円錐形状ではなく円錐台形状と称してもよい。
【００２８】
図４に示すように、受継シート２の底部２２には、排水ホース３を、接続具４、固定具５及びパッキン６を構成部品とする着脱機構７により着脱自在に取り付けている。
【００２９】
排水ホース３には、ラセン芯３１入りのＰＶＣやＰＥ（ポリエチレン）等の屈曲性と耐坐骨性を有する透明ホースを用いている。ホースの内径は例えば１５ｍｍ、長さは例えば３ｍとしている。ホースの内径を１５ｍｍと比較的太くしており、例えば６ｍｍ等の１０ｍｍ以下のものを使用する場合に比べて、漏水と共に埃や砂等の異物が流れてきても詰りにくく、円滑な排水を確保できる。
【００３０】
接続具４には、ホース接続部４１、段部４２を形成する６角形の鍔部４３、ねじ４４をもつ端部４５を一体化し、中心部に貫通穴４６をもつＰＶＣ製ホースニップルを用いている。例えば、全長は５３．５ｍｍ、ねじ４４部分の外径は２０ｍｍ・高さは１５．５ｍｍ、鍔部４３の６角対辺距離は３０ｍｍとしている。
【００３１】
固定具５には、ねじ５１をもつＰＶＣ製の６角ナットを用いている。例えば、高さは９．５ｍｍ、６角対辺距離は３０ｍｍとしている。
【００３２】
パッキン６には、ＥＰＤＭ（エチレンプロピレンゴム）製のものを用いている。例えば、外径は３０ｍｍ、内径は２０ｍｍ、厚みは４ｍｍとしている。
【００３３】
なお、排水ホース３は、接続具４のホース接続部４１に圧入して端部を接着剤等で固定している。排水ホース３の末端を、ＡＢＳ（アクリルニトリル・ブタジエン・スチレン）製のホースニップルから成る延長用接続具９１の一端に圧入してＳＵＳ（ステンレス）製のホースバンド９２で固定し、他端に、例えば内径１５ｍｍ・長さ５ｍ等の延長ホース３０を圧入してホースバンド９２で固定することにより、排水路を延長することもできる。
【００３４】
図５に示すように、受継シート２の底部２２に開けた開口２３に、排水ホース３の接続具４の端部４５を突入させ、その端部４５に取付ける固定具５の締め込みにより、固定具５と接続具４の段部４２との間に、受継シート２の底部２２を挟み付ける。
【００３５】
パッキン６及びシール兼補強シート２４は、挟み付け部分の表裏のシール部材として機能する。こうして、底部２２の開口２３から水漏れが生じるのを防止している。なお、図５の状態では、受継シート２の底部２２と連続する底部近傍部分２５は、上にいくほど口が広がっている。
【００３６】
図６に示すように、上にいくほど口の広がった底部近傍部分２５を、固定具５の６角柱の外周に沿わせるように手で絞り込む。なお、排水ホース３に通じる接続具４の貫通穴４６の入口部となる排水口４７は、固定具５の上端面５０とほぼ同一高さにしている。
【００３７】
図７に示すように、固定具５の６角柱の外周に絞り込んだ底部近傍部分２５を、バンド部材８により束ねる。バンド部材８は、天然ゴム製等の伸縮自在な材料から成り、円形の本体８１、本体８１の対向側８７を輪状に引掛ける一対の係止耳８２，８３をもつヘッド８４、本体８１の巻回状態等を調整するための一対のタブ８５，８６を一体化している。例えば、本体８１の外径は３０ｍｍ、幅は５ｍｍ、厚さは１．４ｍｍとしている。
【００３８】
ヘッド８４の部分を受継シート２の底部近傍部分２５にあてがい、ヘッド８４の対向側８７を手で引っ張りながらぐるりと約半周について巻回し、対向側８７の輪をヘッド８４の係止耳８２，８３に引掛ける。これにより、本体８１を２回巻回したのとほぼ同一強さにより、底部近傍部分２５を固定具５の６角柱の外周に密に束ね、この束ね状態を保持することができる。
【００３９】
本体８１が固定具５の外周からずれたり、本体８１の巻回強さが均等でない場合等には、タブ８５，８６を手で持って本体８１の巻回状態を調整することにより、適正な束ね状態に是正できる。
【００４０】
こうして、固定具５と接続具４との間に、パッキン６及びシール兼補強シート２４を介して受継シート２の底部２３を挟み付けると共に、バンド部材８により受継シート２の底部近傍部分２５を固定具５の外周に密に束ねて保持することにより、漏水の排水口４７を受継シート２の実質的な底部となる部分に良好に開口できる。
【００４１】
従って、排水ホース３を着脱自在にしながら、排水ホース３の接続部分の漏れを低減できると共に、受継シート２内に漏水が滞留するのを防止でき、排水ホース３による排水を良好に行える。
【００４２】
バンド部材８の取り外し時は、ヘッド８４の係止耳８２，８３を、引掛けた対向側８７の輪が外れるように互いに近接させる。バンド部材８を取り外した後、固定具５を緩めて接続具４から取り外し、接続具４を受継シート２の開口２３から抜く。
【００４３】
こうして、漏水受シート１と受継シート２との一体化シート１０２が破損しても、接続具４、固定具５、パッキン６、バンド部材８はそのまま再利用でき、新たな一体化シート１０２に排水ホース３を接続することができる。
【００４４】
従って、漏水受シート１と受継シート２の一体化シート１０２により漏水受シート１に受け止めた漏水を受継シート２に確実に受け渡すことが可能でありながら、一体化シート１０２が破損等しても、一体化シート１０２のみの交換で再利用が可能になり、経済性が図れる。なお、バンド部材８は、一端側を他端側の係止穴に挿入して絞り込む結束バンド等を用いてもよい。
【００４５】
本件は、少なくとも、次の［構成Ｄ］の発明をも包含する。
【００４６】
［構成Ｄ］；
漏水受シート（１）に受け止めた漏水を排水ホース（３）により排水する漏水排水具において、
前記漏水受シート（１）に集めた漏水を排水するための開口（２３）に、前記排水ホース（３）の接続具（４）の端部（４５）を突入させ、前記接続具（４）の端部（４５）に取付ける固定具（５）と前記接続具（４）との間に、前記開口（２３）の回りのシート部分を挟み付けていると共に、この挟み付け部分と連続する前記開口（２３）の近傍のシート部分（２５）を前記固定具（５）の外周にバンド部材（８）により束ねている。
【００４７】
［構成Ｄ］によれば、固定具と接続具との間に漏水を排出する開口の回りのシート部分を挟み付けるため、簡単な構造により漏れを低減できると共に、バンド部材によりその開口の近傍のシート部分を固定具の外周に束ねることにより、漏水の排水口を漏水受シートの実質的な底部となる部分に開口でき、排水を良好に行える。
【符号の説明】
【００４８】
１…漏水受シート、１０…漏水受面、１１，１２，１３，１４…４辺、１５，１６…補強シート、１７…穴、１８…ハトメ、１８ａ…ピン、１８ｂ…受座、１８ｃ…カシメ部、２…受継シート、２０…内面、２１…入口部、２２…底部、２３…開口、２４…シール兼補強シート、２５…底部近傍部分、２０１，２０２，２０３，２０４…４辺、２Ａ…耳、２Ｂ…重ね代、２Ｃ…カット部分、２ｄ，２ｅ…カット辺、２Ｗ…シート材料、３…排水ホース、３０…延長ホース、３１…ラセン芯、４…接続具、４１…ホース接続部、４２…段部、４３…鍔部、４４…ねじ、４５…端部、４６…貫通穴、４７…排水口、５…固定具、５０…上端面、５１…ねじ、６…パッキン、７…着脱機構、８…バンド部材、８１…本体、８２，８３…係止耳、８４…ヘッド、８５，８６…タブ、８７…対向側、９１…延長用接続具、９２…ホースバンド、１００…漏水排水具、１０１…開口、１０２…一体化シート、Ａ…設置対象箇所、Ｔ…テープ、Ｗ…排水路
【図１】
2020158967.tif 000003
【図２】
2020158967.tif 000004
【図３】
2020158967.tif 000005
【図４】
2020158967.tif 000006
【図５】
2020158967.tif 000007
【図６】
2020158967.tif 000008
【図７】
2020158967.tif 000009